(57)【要約】【課題】放送番組の改編が行われた場合に、これに対応して番組情報データのアップデート処理を速やかに実行できるようにする。【解決手段】予め設定された放送局２から送信された放送波信号を受信する受信ユニット４と、受信した放送波信号に対応した放送データを出力する出力ユニット５とを備えた車両の放送受信装置１において、この放送受信装置１の電源がＯＮ状態にある時に放送局２による放送番組の改編があったか否か検出する番組情報検出手段１８と、この番組情報検出手段１８により放送番組の改編があったことが検出された場合に番組情報データをアップデート処理するアップデート手段１９と、このアップデート手段１９によるアップデート処理の実行時に放送受信装置１の電源をＯＮ状態に保持する電源保持手段２０とを備えた。【選択図】図１
2009130752.tif 000002
【特許請求の範囲】
【請求項１】
予め設定された放送局から送信された放送波信号を受信する受信ユニットと、受信した放送波信号に対応した放送データを出力する出力ユニットとを備えた車両の放送受信装置において、この放送受信装置の電源がＯＮ状態にある時に放送局による放送番組の改編があったか否か検出する番組情報検出手段と、この番組情報検出手段により放送番組の改編があったことが検出された場合に番組情報データをアップデート処理するアップデート手段と、このアップデート手段によるアップデート処理の実行時に放送受信装置の電源をＯＮ状態に保持する電源保持手段とを備えたことを特徴とする車両の放送受信装置。
【請求項２】
上記電源保持手段は、アップデート手段によるアップデート処理の実行時に上記受信ユニットによる放送受信モードから他モードへの切換操作が行われたことが確認された場合に、上記アップデート処理が完了するまで放送受信装置の電源をＯＮ状態に保持するように構成されたことを特徴とする請求項１に記載の車両の放送受信装置。
【請求項３】
上記電源保持手段は、アップデート手段によるアップデート処理の実行時に車両のイグニッションスイッチをＯＦＦ状態とする操作が行われたことが確認された場合に、上記アップデート処理が完了するまで放送受信装置の電源をＯＮ状態に保持し、上記アップデート処理の完了後に放送受信装置の電源をＯＦＦ状態とするように構成されたことを特徴とする請求項１または２に記載の車両の放送受信装置。
【請求項４】
上記電源保持手段は、アップデート手段によるアップデート処理の実行時に放送受信装置の電源をＯＦＦ状態とする操作が行われたことが確認された場合に、上記アップデート処理が完了するまで放送受信装置の電源をＯＮ状態に保持し、上記アップアップデート処理の完了後に放送受信装置の電源をＯＦＦ状態とするように構成されたことを特徴とする請求項１〜３のいずれか１項に記載の車両の放送受信装置。
【発明の詳細な説明】
【技術分野】
【０００１】
本発明は、放送局から送信された放送波信号を受信する受信ユニットと、受信した放送波信号に対応した放送データを出力する出力ユニットとを備えた車両の放送受信装置に関するものである。
【背景技術】
【０００２】
従来、下記特許文献１に示されるように、放送局から通信衛星等を介して送信された放送波信号（デジタルラジオ信号）を受信機（受信ユニット）で受信し、受信した放送波信号に対応したオーディオ信号をスピーカに供給して音声出力することにより、ラジオ番組等を聴取できるように構成された車両用の受信機システムが提案されている。上記通信衛星を使用したラジオ放送等は、これを有料で提供することにより、ＣＭフリーとするとともに、ＣＤ並みの高音質が得られ、かつ利用者の好みに対応した多数の番組を提供できるという利点がある。
【特許文献１】特開平２００６−２６１９０８号公報
【発明の開示】
【発明が解決しようとする課題】
【０００３】
上記放送局から送信される放送番組は、利用者の好みや社会情勢の変化等に対応して定期的あるいは随時に行われる改編により変化し、このような放送番組の改編が行われると、放送局から送信される放送番組の内容と、車両に搭載された放送受信装置により受信可能な放送番組とが相違することとなって使用者に混乱が生じることが避けられない。このため、上記放送番組の改編がある度に、番組情報データをアップデート処理して放送受信装置のメモリに記憶された番組情報データを書き換えることにより、使用者に混乱が生じるのを防止する必要がある。
【０００４】
しかし、上記番組情報データのアップデート処理には所定の時間を要し、放送受信装置の処理能力の関係上、上記番組情報データのアップデート処理が完了するまでは、上記放送受信装置を使用した放送を行うことが困難である。このため、使用者は、上記放送受信装置に故障が生じ、あるいは放送波信号の受信状態が悪い状態にあると判断して上記放送受信装置の電源をＯＦＦ状態とし、またはこの放送受信装置に代えてＣＤ装置を使用した音声出力モードに切り換える可能性が高い。このように放送受信装置の電源をＯＦＦ状態とする操作等が行われると、番組情報データのアップデート処理が途中でキャンセルされるため、このアップデート処理を適正に完了することができず、再度上記アップデート処理を最初からやり直さなければならないという問題があった。
【０００５】
本発明は、上記の問題点に鑑みてなされたものであり、放送番組の改編が行われた場合に、これに対応して番組情報データのアップデート処理を速やかに実行できる車両の放送受信装置を提供することを目的としている。
【課題を解決するための手段】
【０００６】
請求項１に係る発明は、予め設定された放送局から送信された放送波信号を受信する受信ユニットと、受信した放送波信号に対応した放送データを出力する出力ユニットとを備えた車両の放送受信装置において、この放送受信装置の電源がＯＮ状態にある時に放送局による放送番組の改編があったか否か検出する番組情報検出手段と、この番組情報検出手段により放送番組の改編があったことが検出された場合に番組情報データをアップデート処理するアップデート手段と、このアップデート手段によるアップデート処理の実行時に放送受信装置の電源をＯＮ状態に保持する電源保持手段とを備えたものである。
【０００７】
請求項２に係る発明は、上記請求項１に記載の車両の放送受信装置において、アップデート手段によるアップデート処理の実行時に上記受信ユニットによる放送受信モードから他モードへの切換操作が行われたことが確認された場合に、上記アップデート処理が完了するまで放送受信装置の電源をＯＮ状態に保持する制御が上記電源保持手段により実行されるように構成されたものである。
【０００８】
請求項３に係る発明は、上記請求項１または２に記載の車両の放送受信装置において、アップデート手段によるアップデート処理の実行時に車両のイグニッションスイッチをＯＦＦ状態とする操作が行われたことが確認された場合に、上記アップデート処理が完了するまで放送受信装置の電源をＯＮ状態に保持し、上記アップデート処理の完了後に放送受信装置の電源をＯＦＦ状態とする制御が上記電源保持手段により実行されるように構成されたものである。
【０００９】
請求項４に係る発明は、上記請求項１〜３のいずれか１項に記載の車両の放送受信装置アップデート手段によるアップデート処理の実行時に放送受信装置の電源をＯＦＦ状態とする操作が行われたことが確認された場合に、上記アップデート処理が完了するまで放送受信装置の電源をＯＮ状態に保持し、上記アップアップデート処理の完了後に放送受信装置の電源をＯＦＦ状態とする制御が上記電源保持手段により実行されるように構成されたものである。
【発明の効果】
【００１０】
請求項１に係る発明では、アップデート手段によるアップデート処理の実行時に、このアップデート処理が完了するまで上記放送受信装置の電源をＯＮ状態に保持するように構成したため、上記アップデート処理が実行されている状態で、上記番組情報データのアップデート処理が途中でキャンセルされるという事態の発生を防止し、このアップデート処理を適正に実行できるという利点がある。
【００１１】
請求項２に係る発明では、アップデート手段によるアップデート処理の実行時に上記受信ユニットによる放送受信モードから他モードへの切換操作が行われたことが確認された場合に、上記アップデート処理が完了するまで上記放送受信装置の電源をＯＮ状態に保持するように構成したため、上記アップデート処理が実行されている状態で、使用者により上記切換操作が行われることに起因して番組情報データのアップデート処理が途中でキャンセルされるという事態の発生を防止し、このアップデート処理を適正に実行できるという利点がある。
【００１２】
請求項３に係る発明では、アップデート手段によるアップデート処理の実行時に、車両のイグニッションスイッチをＯＦＦ状態とする操作が行われたことが確認された場合に、上記アップデート処理が完了するまで放送受信装置の電源をＯＮ状態に保持し、上記アップアップデート処理の完了後に放送受信装置の電源をＯＦＦ状態とするように構成したため、上記アップデート処理の実行時に車両の運転操作が終了し、使用者により上記イグニッションスイッチをＯＦＦ状態とする操作が行われることに起因して上記アップデート処理が途中でキャンセルされるという事態の発生を防止できるとともに、このアップデート処理の完了後に上記放送受信装置の電源をＯＦＦ状態とすることにより電力の浪費を効果的に抑制できるという利点がある。
【００１３】
請求項４に係る発明では、アップデート手段によるアップデート処理の実行時に、上記放送受信装置の電源をＯＦＦ状態とする操作が行われたことが確認された場合に、上記アップデート処理が完了するまで上記放送受信装置の電源をＯＮ状態に保持し、上記アップデート処理の完了後に上記放送受信装置の電源をＯＦＦ状態とするように構成したため、上記アップデート処理が実行されることに起因して放送が開始されない状態にある時に、使用者が誤ってこの放送受信装置１に故障が発生したと判断し、上記放送受信装置の電源をＯＦＦ状態とする操作等が行われて番組情報データのアップデート処理が途中でキャンセルされるという事態の発生を防止し、このアップデート処理を適正に実行できるとともに、このアップデート処理の完了後に上記放送受信装置の電源をＯＦＦ状態とすることにより電力の浪費を効果的に抑制できるという利点がある。
【発明を実施するための最良の形態】
【００１４】
図１は、本発明に係る車両の放送受信装置１の実施形態を示している。この車両の放送受信装置１は、予め設定された放送局２から送信されるとともに通信衛星３を介して配信されたデジタルラジオ用の放送波信号を受信する受信ユニット４と、受信した放送波信号に対応した放送データを出力する出力ユニット５と、上記受信ユニット４および出力ユニット５を制御する制御ユニット６とを備え、上記出力ユニット５が車両に搭載された音声出力装置７の一部として組み込まれている。この音声出力装置７には、ＣＤ装置の音声出力ユニット８およびナビゲーション装置の音声出力ユニット９等が、上記放送受信装置１の出力ユニット５とともに組み込まれている。
【００１５】
上記受信ユニット４には、放送波信号を受信するアンテナ１０と、受信した放送波信号の高周波処理および復調を行うチューナ１１と、このチューナ１１において処理された放送信号を上記出力ユニット５に送信するとともに、上記放送波信号に含まれる番組情報データ等を読み取って上記制御ユニット６に送信する送信手段１２とが設けられている。また、上記出力ユニット５は、制御ユニット６により制御される音声出力回路１３と、この音声出力回路１３から送られた音声信号からなる放送データを出力するスピーカ１４とを備えている。
【００１６】
上記制御ユニット６には、使用者による操作スイッチ１５の操作に応じて選択されたチャンネルの放送信号を上記チューナ１１から出力ユニット５に出力させるように制御する出力制御手段１６と、上記放送受信装置１の電源がＯＮ状態にある時、具体的には放送受信装置１の電源スイッチ１７が使用者によりＯＮ操作された時点、または上記電源スイッチ１７のＯＮ状態において定期的に、上記放送局２による放送番組の改編があったか否か検出する番組情報検出手段１８と、この番組情報検出手段１８により放送番組の改編があったことが検出された場合に番組情報データをアップデート処理するアップデート手段１９と、このアップデート手段１９による番組情報データのアップデート処理の実行時に上記放送受信装置１の電源、具体的には上記受信ユニット４および制御ユニット６の電源をＯＮ状態に保持する電源保持手段２０と、上記番組情報データ等を記憶する記憶手段２１とが設けられている。
【００１７】
上記番組情報検出手段１８は、受信ユニット４の送信手段１２から送信された放送波信号に含まれる放送番組の改編状態を示すバージョン番号と、上記記憶手段２１に記憶された放送番組のバージョン番号とを比較する等により、放送局２において新たに放送番組の改編があったか否かを検出し、改編があったことが検出された場合に、番組情報データをアップデート処理することを指示する指示信号を上記アップデート手段１９に出力するように構成されている。このアップデート手段１９は、上記番組情報検出手段１８から出力された指示信号に応じ、アンテナ１０により受信された放送波信号中の番組情報データをダウンロードし、記憶手段２１に記憶された番組情報データを新たなデータに書き換えるアップデート処理を行うものである。
【００１８】
上記電源保持手段２０は、アップデート手段１９によるアップデート処理の実行時に、使用者により操作スイッチ１５が操作されて上記受信ユニット４による放送受信モードから他モードへの切換操作、例えば上記ＣＤ装置の音声出力ユニット８を作動させる録音再生モードを選択する操作が行われたことが確認された場合に、上記他モードへの移行を禁止して上記アップデート処理が完了するまで上記放送受信装置１の電源をＯＮ状態に保持するように構成されている。また、上記電源保持手段２０は、アップデート手段１９によるアップデート処理の実行時に、車両のイグニッションスイッチ２２または上記放送受信装置１の電源スイッチ１７がＯＦＦ操作されたことが確認された場合に、上記アップデート処理が完了するまで放送受信装置１の電源、具体的には受信ユニット４の電源および制御ユニット６の電源をＯＮ状態に保持し、上記アップデート処理の完了後に放送受信装置１の電源をＯＦＦ状態とするように構成されている。
【００１９】
上記放送受信装置１の制御ユニット６による制御動作を図２に示すフローチャートに基づいて説明する。上記制御動作がスタートすると、まず放送受信装置１の電源スイッチ１７がＯＮ操作されたか否かを判定し（ステップＳ１）、ＹＥＳと判定された場合には、受信ユニット４の送信手段１２から送信された放送波信号に含まれる放送番組の改編状態を示すバージョン番号と上記記憶手段２１に記憶された放送番組のバージョン番号とを比較する等により放送番組の改編があったか否かを検出する（ステップＳ２）。
【００２０】
上記ステップＳ２でＮＯと判定され、放送波信号に含まれる放送番組のバージョン番号と上記記憶手段２１に記憶された放送番組のバージョン番号とが同じであって放送番組の改編が行われていないことが確認された場合には、使用者の操作に応じて選択されたチャンネルの放送信号を上記送信手段１２から出力ユニット５の音声出力回路１３に送信することにより、上記受信ユニット４により受信した放送波信号に対応した上記チャンネルの放送データを出力してデジタルラジオの放送制御を実行する（ステップＳ３）。
【００２１】
上記ステップＳ２でＹＥＳと判定され、放送波信号に含まれる放送番組のバージョン番号と上記記憶手段２１に記憶された放送番組のバージョン番号とが相違しており、放送局２による放送番組の改編があったことが確認された場合には、アンテナ１０により受信された放送波信号中に含まれた番組情報データをダウンロードし、記憶手段２１に記憶された番組情報データを新たなデータに書き換えるアップデート処理を開始する（ステップＳ４）。
【００２２】
次いで、使用者により操作スイッチ１５が操作されて上記受信ユニット４による放送受信モードから他モードへの切換操作が行われたか否かを判定し（ステップＳ５）、ＹＥＳと判定された場合には、上記電源保持手段２０により放送受信装置１の電源をＯＮ状態に保持するとともに（ステップＳ６）、上記アップデート処理を継続する（ステップＳ７）。そして、上記アップデート処理の開始時点でセットされたタイマーがタイムアップしたか否かを判別し、あるいは上記アップデート手段１９からアップデート処理の完了信号が出力されたか否かを判別することにより、アップデート処理が完了したか否かを判定する（ステップＳ８）。
【００２３】
上記ステップＳ８でＮＯと判定されてアップデート処理が完了していないことが確認された場合には、上記ステップＳ７にリターンして上記アップデート処理を継続し、ステップＳ８でＹＥＳと判定されてアップデート処理が完了したことが確認された時点で、電源保持手段２０による電源の保持制御を終了し、放送受信装置１の電源をＯＦＦ状態とした後（ステップＳ９）、リターンする。
【００２４】
また、上記ステップＳ５でＮＯと判定され、受信ユニット４による放送受信モードから他モードへの切換操作が行われていないことが確認された場合には、使用者により放送受信装置１の電源スイッチ１７をＯＦＦ状態とする操作、あるいは車両のイグニッションスイッチ２２をＯＦＦ状態とする操作が行われたか否かを判定し（ステップＳ１０）、ＹＥＳと判定された場合には、上記ステップＳ６に移行して電源保持手段２０により放送受信装置１の電源をＯＮ状態に保持する制御を実行する。
【００２５】
一方、上記ステップＳ１０でＮＯと判定されて上記電源スイッチ１７およびイグニッションスイッチ２２の何れもがＯＮ状態にあることが確認された場合には、上記アップデート手段１９によるアップデート処理が完了したか否かを判定し（ステップＳ１１）、ＮＯと判定された場合には、ステップＳ５に戻って上記制御動作を繰り返す。そして、上記ステップＳ１１でＹＥＳと判定されてアップデート処理が完了したことが確認された時点で、上記ステップＳ３に移行して放送データの出力制御を実行する。
【００２６】
上記のように予め設定された放送局２から送信された放送波信号を受信する受信ユニット４と、受信した放送波信号に対応した放送データを出力する出力ユニット５とを備えた車両の放送受信装置１において、この放送受信装置１の電源がＯＮ状態にある時に放送局２による放送番組の改編があったか否か検出する番組情報検出手段１８と、この番組情報検出手段１８により放送番組の改編があったことが検出された場合に番組情報データをアップデート処理するアップデート手段１９と、このアップデート手段１９によるアップデート処理の実行時に上記放送受信装置１の電源をＯＮ状態に保持する電源保持手段２０とを設けたため、上記放送番組の改編が行われた場合に、これに対応して上記アップデート処理を速やかに実行できるという利点がある。
【００２７】
すなわち、上記番組情報データのアップデート処理は、通常１０分程度の時間を要するとともに、上記放送受信装置１の処理能力の関係上、上記番組情報データのアップデート処理が完了するまでは、上記放送受信装置１を使用した放送を行うことが困難である。このために使用者は、上記放送受信装置１に故障が生じ、あるいは放送波信号の受信状態が悪いこと等が原因で、放送受信装置１の電源をＯＮ操作としたにも拘わらず、放送が開始されない状態にあると誤判断し、この放送受信装置１に代えてＣＤ装置の音声出力ユニット８を使用した録音再生モード等に切り換える可能性がある。
【００２８】
しかし、上記実施形態では、アップデート手段１９によるアップデート処理の実行時に上記受信ユニット４による放送受信モードから他モードへの切換操作が行われたことが確認された場合に、上記アップデート処理が完了するまで上記放送受信装置１の電源をＯＮ状態に保持するように構成したため、上記アップデート処理が実行されている状態で、上記切換操作が行われることに起因して番組情報データのアップデート処理が途中でキャンセルされるという事態の発生を防止し、所定の時間を要する上記番組情報データのアップデート処理を適正に実行することができるという利点がある。したがって、利用者の好みや社会情勢の変化等に対応して放送番組の改編が行われた場合に、番組情報データを速やかにアップデート処理して放送受信装置のメモリに記憶された番組情報データを書き換えることにより、放送局２から送信される放送番組の内容と、車両に搭載された放送受信装置１により受信可能な放送番組とが相違して使用者に混乱が生じるという事態の発生を効果的に防止することができる。
【００２９】
また、上記実施形態では、アップデート手段１９によるアップデート処理の実行時に、車両のイグニッションスイッチ２２をＯＦＦ状態とする操作が行われたことが確認された場合に、上記アップデート処理が完了するまで放送受信装置１の電源をＯＮ状態に保持し、上記アップアップデート処理の完了後に放送受信装置１の電源をＯＦＦ状態とする制御を上記電源保持手段２０において実行するように構成したため、上記アップデート処理の実行時に車両の運転操作が終了し、使用者により上記イグニッションスイッチ２２をＯＦＦ状態とする操作が行われることに起因して上記アップデート処理が途中でキャンセルされるという事態の発生を防止できるとともに、このアップデート処理の完了後に上記放送受信装置１の電源をＯＦＦ状態とすることにより電力の浪費を効果的に抑制できるという利点がある。
【００３０】
さらに、上記実施形態では、アップデート手段１９によるアップデート処理の実行時に、上記放送受信装置１の電源をＯＦＦ状態とする操作が行われたことが確認された場合に、上記アップデート処理が完了するまで上記放送受信装置１の電源をＯＮ状態に保持し、上記アップデート処理の完了後に上記放送受信装置１の電源をＯＦＦ状態とする制御を上記電源保持手段２０において実行するように構成したため、上記アップデート処理が実行されることに起因して放送が開始されない状態にある時に、使用者が誤ってこの放送受信装置１に故障が発生したと判断し、上記放送受信装置１の電源をＯＦＦ状態とする操作等が上記使用者により行われて番組情報データのアップデート処理が途中でキャンセルされるという事態の発生を防止し、このアップデート処理を適正に実行できるとともに、このアップデート処理の完了後に上記放送受信装置１の電源をＯＦＦ状態とすることにより電力の浪費を効果的に抑制できるという利点がある。
【００３１】
なお、上記実施形態では、放送局２から送信されるとともに通信衛星３を介して配信されたデジタルラジオ用の放送波信号を受信して放送するラジオ受信機からなる車両の放送受信装置について本発明を適用した例について説明したが、上記ラジオ受信機に代えて、あるいはこのラジオ受信機とともに、テレビビジョン受像器を備えた車両の放送受信装置について本発明を適用可能であることは勿論である。
【図面の簡単な説明】
【００３２】
【図１】本発明に係る車両の放送受信装置の実施形態を示すブロック図である。
【図２】上記放送受信装置の制御動作を示すフローチャートである。
【符号の説明】
【００３３】
１  放送受信装置
２  放送局
４  受信ユニット
５  出力ユニット
６  制御ユニット
１７  電源スイッチ
１８  番組情報検出手段
１９  アップデート手段
２０  電源保持手段
２２  イグニッションスイッチ
【図１】
2009130752.tif 000003
【図２】
2009130752.tif 000004